(57)【要約】      （修正有）【課題】オフィスチェア等の脚部とキャスタ連結軸との連結が緊密であり、騒音の発生を防止したキャスタスリーブを提供する。【解決手段】キャスタスリーブであって、その内外側に対応する位置に、それぞれ、取り囲む円弧突起が形成され、キャスタ連結軸の頂部に嵌設され、その内側円弧突起がキャスタ連結軸のリング状溝内に位置する。スリーブが嵌設されたキャスタが、その連結軸を脚部の軸溝に挿設するように脚部に結合されると、スリーブの外側にある円弧突起が脚部軸溝の壁面により圧接される。【選択図】図２
0003159447.tif 000002
【実用新案登録請求の範囲】
【請求項１】
キャスタスリーブであって、該キャスタスリーブの内側において、キャスタ連結軸の頂部に形成されたリング状溝に対応する位置に、取り囲む円弧突起が形成され、前記キャスタスリーブの外側において、前記内側円弧突起に対応する位置に、取り囲む円弧突起が形成されることを特徴とするキャスタスリーブ。
【請求項２】
前記内側円弧突起の幅が、キャスタ連結軸頂部のリング状溝の幅に比較して大きく、前記内側円弧突起が緊密にキャスタ連結軸に当接し圧接してなることを特徴とする請求項１に記載のキャスタスリーブ。
【考案の詳細な説明】
【技術分野】
【０００１】
本考案は、キャスタスリーブに関し、さらに詳しくは、キャスタ連結軸の頂部に嵌設されて、キャスタ連結軸に緊密に当接し、キャスタをオフィスチェア等の脚部に結合した場合に、オフィスチェア等の移動の際、構造から生ずる騒音の発生防止及びキャスタ連結軸と脚部との摩耗の低減が可能なキャスタスリーブに関する。
【背景技術】
【０００２】
一般のオフィスチェアに使用されるキャスタ３は、図６と図７に示すように、連結軸１の下端にローラ３１を結合して構成されるものであり、キャスタ３を脚部４に結合する前、その連結軸１の頂部に形成されたリング状溝１１内に、Ｃ形リング２が嵌設される。図６及び図７に示すように、Ｃ形リング２が嵌設された頂部が、脚部４の軸溝４１内に挿設され、上記Ｃ形リング２により、脚部４の軸溝４１に緊密に当接して脚部４と安定的に結合されるが、このようなＣ形リング２が嵌設されたキャスタ連結軸１は、Ｃ形リング２が、リング状溝１１内に嵌設された後も、リング状溝１１に完全に密着せず、上記リング状溝１１との間に、僅かの隙間１２が発生するため、キャスタ３が、回転すると、上記Ｃ形リング２が、上記リング状溝１１内において、揺動しながら、リング状溝１１の壁面や脚部４の軸溝４１の壁面に摩擦して騒音が発生する。また、Ｃ形リング２と脚部４とが、金属材質からなるため、長期に使用すると、両者の間において、摩耗現象が発生し、Ｃ形リング２と脚部４の軸溝４１との隙間が、更に大きくなり、騒音も増大するという問題がある。
【０００３】
かかる状況下において、椅子等へのキャスタ取付け構造については各種の提案があり、例えば、特許文献１に記載された取付け構造が提案されているが、前記の如きスリーブによる騒音の防止、摩耗の現象の防止等については開示がない。
【特許文献１】特開２００８−６１９０号公報
【考案の開示】
【考案が解決しようとする課題】
【０００４】
従って、本考案の課題は、オフィスチェア等の脚部へキャスタを取付けたことにより、前記の如きオフィスチェア等の移動の際に発生する騒音、金属面の摩耗等を防止する構造を提供する点にある。
【課題を解決するための手段】
【０００５】
そこで、本考案者は、前記の本考案の課題を解決するために鋭意検討を重ねた結果、キャスタ連結軸の外側に設ける円弧突起を有する特定の構造のキャスタスリーブを採用することにより、前記課題を解決できることに着目し、かかる知見に基いて本考案に想到するに至った。
【０００６】
すなわち、本考案の主な目的は、脚部に結合された後、その外側の円弧突起が、脚部軸溝の内壁面によって圧接され、内側に設けた円弧突起が、上記圧接により、更に、連結軸リング状溝内に嵌入して、連結軸と脚部とが、隙間無しに、完全に密着するので、キャスタが転動しても、連結軸や脚部に衝突することにより発生する騒音を防止することができるキャスタスリーブを提供する点にある。
【０００７】
また、本考案の他の目的は、プラスチック製のスリーブと金属製の脚部とが、異なる材質であるため、両者の摩擦が低減され、長期に使用しても、摩耗によりスリーブと脚部との間に、隙間が発生して、騒音を発するようなことを防止することができ、また、耐用寿命を向上させたキャスタスリーブを提供する点にある。
【０００８】
かくして、本考案によれば、請求項１において、
キャスタスリーブであって、該キャスタスリーブの内側において、キャスタ連結軸の頂部に形成されたリング状溝に対応する位置に、取り囲む円弧突起が形成され、前記キャスタスリーブの外側において、前記内側円弧突起に対応する位置に、取り囲む円弧突起が形成されることを特徴とするキャスタスリーブが提供される。
【０００９】
また、請求項２に係る考案によれば、前記内側円弧突起の幅が、キャスタ連結軸頂部のリング状溝の幅に比較して大きく、前記内側円弧突起が緊密にキャスタ連結軸に当接し圧接してなることを特徴とする請求項１に記載のキャスタスリーブが提供される。
【考案の効果】
【００１０】
本考案によれば、前記の通りの構成からなることから、オフィスチェア等の脚部にキャスタを緊密に取付けることができ、キャスタ連結軸と脚部との接触により発生する騒音を防止し、また、金属材質部分の摩耗の防止を図ることができる。
【考案を実施するための最良の形態】
【００１１】
以下、図面を参照しながら、本考案の特徴や技術内容について、詳しく説明する。もっとも、それらの図面等は、参考や説明のためであり、本考案は、それらによって限定されるものではない。
【００１２】
本考案に係るキャスタスリーブ５は、図１乃至図５に示すように、円筒状であり、その内側において、キャスタ６の連結軸７の頂部に形成されたリング状溝７１に対応する位置に、取り囲む円弧突起５２を形成してある。また、上記円弧突起５２の幅が、連結軸７のリング状溝７１の幅よりやや大きく、その外側において、内側に形成してある円弧突起５２に対応する位置に、リング状の円弧突起５１を形成してある。キャスタ６が脚部８に結合される前、スリーブ５をキャスタ６の連結軸７の頂部に嵌設すると、スリーブ５の内面に形成してある円弧突起５２が、連結軸７の頂部に形成されたリング状溝７１内に位置するように構成してある。
【００１３】
スリーブ５が嵌設されたキャスタ６を、その連結軸７で脚部８の軸溝８１内に挿設すると、スリーブ５の外側に形成された円弧突起５１が、脚部８の軸溝８１の壁面によって圧接され、連結軸７が軸溝８１に密着する。それにより、キャスタ６と脚部８とが結合された時、スリーブ５の外側円弧突起５１が、脚部８の軸溝８１の壁面により圧接されて内部へ圧縮される。そして、その時スリーブ５の内面に形成してある円弧突起５２が、上記の圧接により、更に、連結軸７のリング状溝７１内へ嵌入し、連結軸７及び脚部８とを隙間無しに密着させることができる。
【００１４】
このようにして、キャスタ６が回転する時、スリーブ５が連結軸７及び脚部８とを隙間無しに密着できるため、スリーブ５が連結軸７及び脚部８に衝突して騒音を発するようなことが防止される。
【図面の簡単な説明】
【００１５】
【図１】本考案の一実施形態によるキャスタスリーブをキャスタ連結軸に嵌設した状態のキャスタ連結軸の斜視図である。
【図２】本考案の一実施形態によるキャスタスリーブをキャスタ連結軸から分離した状態のキャスタ連結軸の斜視図である。
【図３】本考案の一実施形態によるキャスタスリーブをキャスタ連結軸に嵌設した状態の断面図である。
【図４】本考案の一実施形態によるキャスタスリーブの使用状態の断面図である。
【図５】図４で示すキャスタスリーブのＡ部拡大図である。
【図６】従来のキャスタ連結軸の分解斜視図である。
【図７】従来のキャスタ連結軸の使用状態図である。
【符号の説明】
【００１６】
１    連結軸
１１  リング状溝
１２  隙間
２    Ｃ形リング
３    キャスタ
３１  ローラ
４    脚部
４１  軸溝
５    スリーブ
５１  、５２  円弧突起
６    キャスタ
７    連結軸
７１  リング状溝
８    脚部
８１  軸溝
【図１】
0003159447.tif 000003
【図２】
0003159447.tif 000004
【図３】
0003159447.tif 000005
【図４】
0003159447.tif 000006
【図５】
0003159447.tif 000007
【図６】
0003159447.tif 000008
【図７】
0003159447.tif 000009